(57)【要約】【課題】  ボトル状の容器を一体的に保持する容器保持具において、ボトルの安定支持を可能にするとともに、ボトルの脱落を確実に防止する。【解決手段】  容器１のネック部３と係脱可能に係合する係合部２０と、容器底面を受ける底板部６０と、容器１の側面に沿って係合部２０と底板部６０とを繋ぐ対向する連結部３１，３２と、一方の連結部３１の一部を外方に湾曲させることによって形成されたハンドル４０と、ハンドル４０の高さ方向下方側の基部の近傍から、他方の連結部３２に向かって高さ方向斜め上方に延設された第一脱落防止板５１と、第一脱落防止板５１よりも高さ方向下方に位置し、かつ、第一脱落防止板５１とほぼ平行に延設された第二脱落防止板５２とを備え、脱落防止板５１，５２が、連結部３１，３２を容器外周面に沿って繋いでいる。【選択図】  図１
2008056295.tif 000002
【特許請求の範囲】
【請求項１】
ボトル状の容器を一体的に保持する容器保持具であって、
前記容器のネック部と係脱可能に係合する係合部と、
前記容器の底面を受ける底板部と、
前記容器の側面に沿って前記係合部と前記底板部とを繋ぐ対向する二つの連結部と、
前記連結部の一方の一部を外方に湾曲させることによって形成されたハンドルと、
前記連結部の一方に形成された前記ハンドルの高さ方向下方側の基部の近傍から、前記連結部の他方に向かって高さ方向斜め上方に延設されて、前記容器の正面に沿って前記連結部どうしを繋ぐ第一脱落防止板と、
前記第一脱落防止板よりも高さ方向下方に位置し、かつ、前記第一脱落防止板とほぼ平行に延設されて、前記容器の背面に沿って前記連結部どうしを繋ぐ第二脱落防止板と、
を備えることを特徴とする容器保持具。
【請求項２】
前記第一及び第二脱落防止板が、幅方向に連続する平板部を備える請求項１に記載の容器保持具。
【請求項３】
前記第一及び第二脱落防止板の平板部間の水平距離が、前記容器の胴部外径よりも小さい請求項２に記載の容器保持具。
【請求項４】
前記第二の脱落防止板よりも高さ方向下方に位置し、かつ、前記連結部の一方から、前記容器の正面に沿うように、前記第一及び第二脱落防止板とほぼ平行に突出するウィングをさらに備える請求項１〜３のいずれか１項に記載の容器保持具。
【請求項５】
前記ハンドルが、外周板と前記外周板よりも幅狭の内周板とからなる二重板構造を有しているとともに、
前記内周板と前記外周板とが、幅方向ほぼ中央でリブ板により繋がれている請求項１〜４のいずれか１項に記載の容器保持具。
【発明の詳細な説明】
【技術分野】
【０００１】
本発明は、ボトル状の容器を一体的に保持する容器保持具に関し、特に、薄肉なＰＥＴボトルに好適に用いることができる容器保持具に関する。
【背景技術】
【０００２】
ミネラルウォータ、お茶などの液体飲料の多くは、軽量ボトルである、いわゆるＰＥＴボトルに充填して販売されている。従来のＰＥＴボトルは、ある程度の厚みを有し、自己の形状を保つ保形性を有しているが、製造コストや廃棄物の減容化を考慮すると、ボトルは可及的に薄肉であることが好ましい。これは、製造時に使用する原材料が少なくて済み、また、使用後は容易に潰して廃棄できるからである。
【０００３】
しかしながら、軽量ボトルは、肉厚を薄くすればするほど、構造的に保形性が乏しくなって変形し易くなり、特に、２リットル入りＰＥＴボトルのように比較的大容量のボトルでは、ユーザーによる取り扱いが難しくなる。例えば、ユーザーがボトル内の飲料を飲むために、開封された薄肉ボトルの胴部を把持すると、その把持力で胴部が内方へ大きくへこみ、その結果、ボトルの注出口から飲料が噴き出してしまうなどの問題が生じ易くなる。
そこで、特許文献１，２などにおいて、薄肉ボトルの取り扱いを容易にする保持具が提案されている。
【０００４】
【特許文献１】実用新案登録第２６０５１３１号公報
【特許文献２】特開２００４−６７１１４号公報
【発明の開示】
【発明が解決しようとする課題】
【０００５】
ここで、特許文献１に記載された保持具は、ハンドルを有する箱体に、ボトルを出し入れするための開口や窓孔、ボトルのネック部と係合する案内溝などを形成して構成されている。そして、このような構成とすることにより、箱体にボトルを収容すると、ボトルを直接把持することなく、ハンドル把持によるボトルの運搬や内容物の注出が可能になるとされている。
【０００６】
しかしながら、特許文献１に記載されたボトル保持具のように、ボトル全体を箱体で覆う場合、全体容積が大きくなるだけでなく、軽量ボトルが有する適度な撓み特性が損なわれ、冷蔵庫のドアポケットなどに対する収まりが悪くなるという問題がある。
【０００７】
また、特許文献２に記載された保持具は、ボトルの底よりも小さい底プレートから上方に延びる２つの帯状のウェブを有し、このウェブの上端が、ボトル止め部に連結されている。そして、一方のウェブには、ハンドルが一体に形成されるとともに、ハンドルの下方に第１の下方ウィングが一体に形成されている。また、他方の対向ウェブには、第２の下方ウィングが形成され、この第２の下方ウィングの上方に、上方ウィングが形成されている。
このように構成された保持具によれば、保持したボトルの外周のうち、多くの領域が露出状態になるので、全体容積の増加が抑えられるだけでなく、軽量ボトルが有する適度な撓み特性を生かし、冷蔵庫のドアポケットに対する挿入や取り出しを容易に行うことができるとされている。
【０００８】
しかしながら、特許文献２に記載の保持具は、ボトルの周囲に沿ってウェブから突出するように形成されたウィングで、ボトルの胴部を支持している。このため、ボトル自体の撓み変形やウィングの撓み変形によってボトルの支持が不安定になり、最悪の場合、隙間部分からボトルが脱落する可能性があるというように、ボトルの安定支持などの点において、更に改善の余地があった。
【０００９】
本発明は、上記の事情に鑑みなされたものであり、保持したボトル容器の外周のうち、多くの領域を露出状態として、全体容積の増加を抑えるとともに、軽量ボトルが有する適度な撓み特性を生かし、冷蔵庫のドアポケットなどに対する挿入や取り出しを容易に行うことができるようにしながらも、ボトル容器を安定に支持して、その脱落を確実に防止できる容器保持具の提供を目的とする。
【課題を解決するための手段】
【００１０】
上記目的を達成するため本発明の容器保持具は、ボトル状の容器を一体的に保持する容器保持具であって、前記容器のネック部と係脱可能に係合する係合部と、前記容器の底面を受ける底板部と、前記容器の側面に沿って前記係合部と前記底板部とを繋ぐ対向する二つの連結部と、前記連結部の一方の一部を外方に湾曲させることによって形成されたハンドルと、前記連結部の一方に形成された前記ハンドルの高さ方向下方側の基部の近傍から、前記連結部の他方に向かって高さ方向斜め上方に延設されて、前記容器の正面に沿って前記連結部どうしを繋ぐ第一脱落防止板と、前記第一脱落防止板よりも高さ方向下方に位置し、かつ、前記第一脱落防止板とほぼ平行に延設されて、前記容器の背面に沿って前記連結部どうしを繋ぐ第二脱落防止板と、を備える構成としてある。
【００１１】
このような構成を採用した本発明に係る容器保持具によれば、二つの脱落防止板は、連結部どうしを繋ぐように延設されているため、脱落防止板自体の剛性が向上するとともに、ボトル容器は、二つの脱落防止板によって全周に亘って支持されることになる。しかも、いずれの脱落防止板も、単に水平に設けるのではなく、斜めに延設されているため、容器との接触面積が多くなり、かつ、高さ位置が異なる四点で連結部に支持されている。
このため、二つの脱落防止板によりボトル容器がより安定に保持され、使用途中で容器が撓み変形しても、その脱落を確実に防止することができるとともに、第二脱落防止板は、第一脱落防止板よりも高さ方向下方に位置し、かつ、第一脱落防止板とほぼ平行に延設されているので、脱落防止板間の開口部を広くすることができ、容器を傾けた状態で脱落防止板間に容易に挿入して、保持具に保持させることができる。特に、容器が挿入される側に位置する第二脱落防止板を、第一脱落防止板よりも高さ方向下方に位置させることで、容器の挿入を容易にすることが可能となる。
さらに、本発明に係る容器保持具は、容器外周の多くの領域を露出状態として、全体容積の増加を抑えるとともに、容器の適度な撓み特性を生かし、冷蔵庫のドアポケットなどに対する挿入や取り出しを容易に行うことができる上、容器の運搬や内容物の注出に際してユーザーが把持するハンドルは、連結部の一部を外方に湾曲させることによって形成されているため、ハンドルを容易に小型化して、冷蔵庫のポケットなどへの収納性をよりいっそう向上させることができる。しかも、ハンドルの内側には、容器の挿入を妨げるものがないので、第一脱落防止板と第二脱落防止板との間に容器を挿入するに際し、その開口部をより広く確保することも可能となる。
【００１２】
また、本発明に係る容器保持具は、前記第一及び第二脱落防止板が、幅方向に連続する平板部を備える構成とすることができる。
このような構成とすれば、全体を円弧にする場合に比べ、容器保持具の外径寸法を小さくできるだけでなく、保持する容器の胴部断面を長円状又は楕円状に規制し、冷蔵庫のポケットなどへの収納性を向上させることができる。
【００１３】
また、本発明に係る容器保持具は、前記第一及び第二脱落防止板の平板部間の水平距離が、前記容器の胴部外径よりも小さい構成とすることができる。
このような構成とすれば、保持した容器の胴部に脱落防止板が食い込むので、容器の支持がより確実になるとともに、容器の脱落が一層防止される。
【００１４】
また、本発明に係る容器保持具は、前記第二の脱落防止板よりも高さ方向下方に位置し、かつ、前記連結部の一方から、前記容器の正面に沿うように、前記第一及び第二脱落防止板とほぼ平行に突出するウィングをさらに備える構成とすることができる。
このような構成とすれば、ウィングによって容器の脱落が一層防止される。しかも、ウィングは、容器を保持させる際、ウィング自身の撓み変形などによって、容器の底部を逃がすことができるので、同じ箇所に第三の脱落防止板を形成する場合に比べ、ボトルの装着性を向上させることができる。
【００１５】
また、本発明に係る容器保持具は、前記ハンドルが、外周板と前記外周板よりも幅狭の内周板とからなる二重板構造を有しているとともに、前記内周板と前記外周板とが、幅方向ほぼ中央でリブ板により繋がれている構成とすることができる。
このような構成とすれば、ハンドルの強度が高められるだけでなく、ハンドルを握り易くして操作性の向上を図ることができる。
【発明の効果】
【００１６】
以上のように、本発明によれば、容器外周の多くの領域を露出状態とするとともに、ハンドルを容易に小型化して、冷蔵庫のポケットなどへの収納性をよりいっそう向上させることができることに加えて、斜めに延設された二つの脱落防止板により、脱落防止板間への容器の挿入作業性を損なうことなく、容器をより安定に保持し、使用途中で容器が撓み変形しても、その脱落を確実に防止することができる。
【発明を実施するための最良の形態】
【００１７】
以下、本発明に係る容器保持具の好ましい実施形態について、図面を参照しつつ説明する。
【００１８】
図１は、本実施形態に係る容器保持具の概略を示す正面図であり、図２、図３、図４、図５、図６のそれぞれは、同背面図、同平面図、同底面図、同右側面図、同左側面図である。また、図７は、図１のＡ−Ａ端面図、図８は、本実施形態に係る容器保持具が保持する容器の一例の概略を示す正面図である。
【００１９】
図示する例において、保持具１０は、容器１を一体的に保持し、その取り扱いを容易にするためのものであり、図１中、保持具１０に保持された容器１を鎖線で示している。
容器１は、その底面を形成する底部６と、底部６から立ち上がる胴部５と、胴部５の上端部から上方中央に向けて絞り込まれた肩部４と、肩部４の上端部に形成されるネック部３と、ネック部３の上方に形成される口部２と、口部２を開閉するキャップ７とを備えて構成されている。図８中、口部２に取り付けられたキャップ７を鎖線で示すが、キャップ７は、開閉時に縦中心軸回りに回転操作される回転式のものであり、例えば、ねじ式のものなどが挙られる。
【００２０】
ここで、保持具１０が保持する容器１に制限はないが、軽量な樹脂製のボトル状容器が好適であり、特に、比較的大容量（例えば、２リットル以上）で、かつ、保形性に乏しい薄肉なプラスチックボトル（例えば、ＰＥＴボトル）に適用すると、本発明の効果が顕著になる。
【００２１】
また、保持具１０は、係合部２０、連結部３１，３２、ハンドル４０、第一脱落防止板５１、第二脱落防止板５２、ウィング５３、底板部６０などを備えて構成されている。
保持具１０の製造方法や材質に制限はないが、樹脂製の一体成形品とするのが、軽量化が容易であり、かつ、コスト的にも有利であることから好ましい。また、保持具１０の材質としては、容器１を保持し得る剛性が求められるが、適度な撓み特性を備えることが好ましい。
【００２２】
保持具１０が備える係合部２０は、容器１のネック部３と係脱可能に係合する部分である。係合部２０には、図２に示すようにハンドル４０を左側に置いたときに、前方に開口する嵌入部２２が形成されている。そして、図９に示すように、この嵌入部２２には、突片２３を押し退けながら容器１のネック部３が入り込んで係合される。
なお、図９は、容器１のネック部３を係合部２０に係合させる前後の状態を示す説明図であり、図９（ａ）は、係合前、図９（ｂ）は、係合後である。
【００２３】
また、係合部２０は、この種の容器に一般に形成されるネックリング３ａが係止される係止溝２１を有している。そして、図示する例では、係止溝２１の始端部から左右に延びた指掛部２５が形成されており、係合部２０に対するボトル容器１の係脱に際し、この指掛部２５に指を掛けることによって、係合部２０に対するボトル容器１の係脱操作が容易になるようにしてある。
【００２４】
また、連結部３１，３２は、容器１のネック部３が係脱される係合部２０と、容器１の底面を受ける底板部６０とを繋ぐ部分である。連結部３１，３２は、それぞれ容器１の側面に沿って対向するように立設されている。
二つの連結部３１，３２のうち、一方の連結部３１には、図示するように、その一部を外方に向けて湾曲させることによって形成されたハンドル４０が備わっている。このハンドル４０をユーザーが握った状態で、容器１の運搬、内容液の注出などが行われるが、ハンドル４０は、連結部３１の一部を外方に湾曲させるだけで形成してあるので、ハンドル４０と容器１との間に、ユーザーの手が挿入できるだけの空間が形成されればよい構造となっている。このため、ハンドル４０を容易に小型化して、冷蔵庫のポケットなどへの収納性をよりいっそう向上させることができる。しかも、ハンドル４０の内側には、容器１の挿入を妨げるものがないので、後述するように、第一脱落防止板５１と第二脱落防止板５２との間に容器１を挿入するに際し、その開口部をより広く確保することも可能となる。
【００２５】
図７に示すように、ハンドル４０は、その内周面を形成する内周板４１と、外周面を形成する外周板４２と、これらを繋ぐリブ板４３とによって断面Ｈ型に形成されるとともに、内周板４１の幅が外周板４２の幅よりも若干小さくしてある。このように、ハンドル４０が、外周板４２と、この外周板４２よりも幅狭の内周板４１とからなる二重板構造を有するとともに、内周板４１と外周板４２とを、幅方向ほぼ中央でリブ板４３により繋ぐことにより、ハンドル４０の強度が高められるだけでなく、ハンドル４０を握り易くして操作性の向上を図ることができる。
【００２６】
また、第一脱落防止板５１は、一方の連結部３１に形成されたハンドル４０の高さ方向下方側の基部の近傍から、他方の連結部３２に向かって高さ方向斜め上方に延設されて連結部３１，３２どうしを繋いでおり、図１に示すようにハンドル４０を右側に置いたときに、容器１の正面側外周に沿うように、その外周方向に突き出す形状で形成されている。
一方、第二脱落防止板５２は、第一脱落防止板５１よりも高さ方向下方に位置し、かつ、第一脱落防止板５１とほぼ平行に延設されて連結部３１，３２どうしを繋いでおり、ハンドル４０を右側に置いたときに、容器１の背面側外周に沿うように、その外周方向に突き出す形状で形成される。
【００２７】
このように、二つの脱落防止板５１，５２は、連結部３１，３２どうしを繋ぐように延設されているため、脱落防止板５１，５２自体の剛性が向上するとともに、容器１は、脱落防止板５１，５２によって全周に亘って支持されることになる。しかも、いずれの脱落防止板５１，５２も、単に水平に設けるのではなく、斜めに延設されているため、容器１との接触面積が多くなり、かつ、高さ位置が異なる四点で連結部３１，３２に支持されている。
このため、二つの脱落防止板５１，５２により容器１がより安定に保持され、使用途中で容器１が撓み変形しても、その脱落を確実に防止することができる。
【００２８】
しかも、第二脱落防止板５２は、第一脱落防止板５１よりも高さ方向下方に位置し、かつ、第一脱落防止板５１とほぼ平行に延設されているので、脱落防止板５１，５２間の開口部を広くすることができる。その結果、図１０（ｂ）に示すように、容器１を傾けた状態で脱落防止板５１，５２間に容易に挿入して、保持具１０に保持させることができる。特に、図示する例のように、容器１が挿入される側、すなわち、係合部２０に形成された嵌入部２２の開口側に位置する第二脱落防止板５２を、第一脱落防止板５１よりも高さ方向下方に位置させることで、容器１の挿入を容易にすることが可能となる。
なお、図１０は、保持具１０に容器１を保持させる手順を示す説明図であり、図１０（ａ）は、容器１を保持させる前の保持具１０の斜視図、図１０（ｂ）は、容器１を脱落防止板５１，５２間に挿入しようとしているところの斜視図、図１０（ｃ）は、容器１を保持した状態の斜視図である。
【００２９】
さらに、保持具１０は、容器１を脱落防止板５１，５２の間に挿入して保持するものであり、容器外周の多くの領域を露出状態としている。このようにすることで、全体容積の増加を抑えるとともに、容器１の適度な撓み特性を生かし、冷蔵庫のドアポケットなどに対する挿入や取り出しを容易に行うことができる。
【００３０】
また、脱落防止板５１，５２は、図３に示すように、幅方向に連続する平板部５１ａ，５２ａを備えることが好ましい。脱落防止板５１，５２に平板部５１ａ，５２ａを形成すると、全体を円弧にする場合に比べ、保持具１０の外径寸法を小さくできるだけでなく、容器１の胴部４の断面を長円状又は楕円状に規制し、冷蔵庫のポケットなどへの収納性を向上させることができる。
さらに、脱落防止板５１，５２間の水平距離Ｌは、容器１の胴部４の外径Ｌ０よりも小さいことが好ましい。このようにすると、保持した容器１の胴部５に脱落防止板５１，５２が食い込むので、容器１の支持がより確実になるとともに、容器１の脱落が一層防止される。
【００３１】
また、図示する例では、第二脱落防止板５２よりも下方で、連結部３２から、脱落防止板５１，５２とほぼ平行に突出し、図１に示すようにハンドル４０を右側に置いたときに、容器１の正面側外周に沿うように、ウィング５３が形成されている。
このように構成すれば、ウィング５３によって容器１の脱落が一層防止される。しかも、ウィング５３は、容器１を保持させる際、ウィング５３自身の撓み変形によって、容器１の底部を逃がすことができるので、同じ箇所に第三の脱落防止板を形成する場合に比べ、ボトルの装着性を向上させることができる。
【００３２】
以上、本発明について、好ましい実施形態を示して説明したが、本発明は、前述した実施形態にのみ限定されるものではなく、本発明の範囲で種々の変更実施が可能であることは言うまでもない。
【産業上の利用可能性】
【００３３】
本発明は、ボトル状の容器を一体的に保持するハンドル付きの容器保持具に適用され、特に、比較的大容量で、かつ、保形性に乏しい薄肉な軽量ボトルを保持する容器保持具に好適に用いることができる。
【図面の簡単な説明】
【００３４】
【図１】本発明に係る容器保持具の実施形態の概略を示す正面図である。
【図２】本発明に係る容器保持具の実施形態の概略を示す背面図である。
【図３】本発明に係る容器保持具の実施形態の概略を示す平面図である。
【図４】本発明に係る容器保持具の実施形態の概略を示す底面図である。
【図５】本発明に係る容器保持具の実施形態の概略を示す右側面図である。
【図６】本発明に係る容器保持具の実施形態の概略を示す左側面図である。
【図７】図１のＡ−Ａ端面図である。
【図８】容器保持具が保持する容器の一例の概略を示す正面図である。
【図９】容器のネック部を係合部に係合させる前後の状態を示す説明図である。
【図１０】容器保持具に容器を保持させる手順を示す説明図である。
【符号の説明】
【００３５】
１          容器
３          ネック部
５          胴部
７          キャップ
１０        容器保持具
２０        係合部
３１，３２  連結部
４０        ハンドル
４１        内周板
４２        外周板
４３        リブ板
５１        第一脱落防止板
５１ａ      平板部
５２        第二脱落防止板
５２ａ      平板部
５３        ウィング
６０        底板部
【図１】
2008056295.tif 000003
【図２】
2008056295.tif 000004
【図３】
2008056295.tif 000005
【図４】
2008056295.tif 000006
【図５】
2008056295.tif 000007
【図６】
2008056295.tif 000008
【図７】
2008056295.tif 000009
【図８】
2008056295.tif 000010
【図９】
2008056295.tif 000011
【図１０】
2008056295.tif 000012